(57)【要約】【課題】吐出ヘッドの流路の目詰まりが抑制されたインクジェット記録装置の提供。【解決手段】顔料と溶媒とを含むインクであって、ロスマイルス法を模した評価において３０秒後の気泡の高さが５ｍｍ以下であり、体積平均粒径２μｍ以上の前記顔料が３０００個／ｍｌ以下であるインクの液滴を熱により吐出する吐出ヘッドを備えたインクジェット記録装置。【選択図】なし【特許請求の範囲】
【請求項１】
顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクの液滴を熱により吐出する吐出ヘッドを備えたインクジェット記録装置。
【請求項２】
前記インクが、分子量２５０以下の浸透剤を含む請求項１に記載のインクジェット記録装置。
【請求項３】
前記顔料が自己分散型顔料であり、前記自己分散型顔料の濃度がインク全量に対して４質量％以上１２質量％以下である請求項１又は請求項２に記載のインクジェット記録装置。
【請求項４】
前記インクを循環させて前記吐出ヘッドの内部に前記インクの供給を行う供給部を備えた請求項１〜請求項３のいずれか１項に記載のインクジェット記録装置。
【請求項５】
顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクの液滴を熱により吐出する吐出ヘッドによって、前記インクの液滴を吐出して記録を行うインクジェット記録方法。
【請求項６】
前記インクが、分子量２５０以下の浸透剤を含む請求項５に記載のインクジェット記録方法。
【請求項７】
前記顔料が自己分散型顔料であり、前記自己分散型顔料の濃度がインク全量に対して４質量％以上１２質量％以下である請求項５又は請求項６に記載のインクジェット記録方法。
【請求項８】
前記インクを循環させて前記吐出ヘッドの内部に前記インクの供給を行う請求項５〜請求項７のいずれか１項に記載のインクジェット記録方法。
【請求項９】
顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクジェット記録装置用インク。
【発明の詳細な説明】
【技術分野】
【０００１】
本発明は、インクジェット記録装置、インクジェット記録方法、及びインクジェット記録装置用インクに関する。
【背景技術】
【０００２】
特許文献１には、加熱された記録媒体上に吐出ヘッドからインク滴を吐出して記録媒体上にインク像を形成するインクジェット記録方法に用いるインクであって、少なくとも水を主成分とする溶媒と、顔料と、熱可塑性樹脂エマルジョンとを含み、ＪＩＳ  Ｋ  ３３６２に基づいた４０℃における５分後の泡の高さが２００ｍｍ以下であることを特徴とするインクジェット記録用インクが開示されている。
【０００３】
特許文献２には、着色剤、水および水溶性有機溶剤を含むインクジェット記録用水性インクであって、前記着色剤が、リン酸基により修飾された自己分散型顔料を含み、前記水性インクが、さらに、ホウ酸類を含むことを特徴とするインクジェット記録用水性インクが開示されている。
【先行技術文献】
【特許文献】
【０００４】
【特許文献１】特開平０９−２７９０６８号公報
【特許文献２】特開２０１１−１５７４２３号公報
【発明の概要】
【発明が解決しようとする課題】
【０００５】
本発明は、吐出ヘッドの流路の目詰まりが抑制されたインクジェット記録装置を提供することを目的とする。
【課題を解決するための手段】
【０００６】
請求項１に係る発明は、顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクの液滴を熱により吐出する吐出ヘッドを備えたインクジェット記録装置である。
【０００７】
請求項２に係る発明は、前記インクが、分子量２５０以下の浸透剤を含む請求項１に記載のインクジェット記録装置である。
【０００８】
請求項３に係る発明は、前記顔料が自己分散型顔料であり、前記自己分散型顔料の濃度がインク全量に対して４質量％以上１２質量％以下である請求項１又は請求項２に記載のインクジェット記録装置である。
【０００９】
請求項４に係る発明は、前記インクを循環させて前記吐出ヘッドの内部に前記インクの供給を行う供給部を備えた請求項１〜請求項３のいずれか１項に記載のインクジェット記録装置である。
【００１０】
請求項５に係る発明は、顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクの液滴を熱により吐出する吐出ヘッドによって、前記インクの液滴を吐出して記録を行うインクジェット記録方法である。
【００１１】
請求項６に係る発明は、前記インクが、分子量２５０以下の浸透剤を含む請求項５に記載のインクジェット記録方法である。
【００１２】
請求項７に係る発明は、前記顔料が自己分散型顔料であり、前記自己分散型顔料の濃度がインク全量に対して４質量％以上１２質量％以下である請求項５又は請求項６に記載のインクジェット記録方法である。
【００１３】
請求項８に係る発明は、前記インクを循環させて前記吐出ヘッドの内部に前記インクの供給を行う請求項５〜請求項７のいずれか１項に記載のインクジェット記録方法である。
【００１４】
請求項９に係る発明は、顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクジェット記録装置用インクである。
【発明の効果】
【００１５】
請求項１に係る発明によれば、インクの液滴を熱により吐出する吐出ヘッドを備えたインクジェット記録装置において上記組成のインクを適用しない場合に比べ、吐出ヘッドの流路の目詰まりが抑制されたインクジェット記録装置を実現する。
請求項２に係る発明によれば、分子量が１０００以上の界面活性剤を適用した場合に比べ、吐出ヘッドの流路の目詰まりが抑制されたインクジェット記録装置を実現する。
請求項３に係る発明によれば、顔料分散剤を利用した場合に比べ、吐出ヘッドの流路の目詰まりが抑制されたインクジェット記録装置を実現する。
請求項４に係る発明によれば、インクを循環させて吐出ヘッド内部にインクの供給を行う供給部を備えない場合に比べ、吐出ヘッドの流路の目詰まりが抑制されたインクジェット記録装置を実現する。
請求項５に係る発明によれば、上記組成でないインクの液滴を、熱により吐出する吐出ヘッドによって吐出して記録を行うインクジェット記録方法に比べ、吐出ヘッドの流路の目詰まりが抑制されたインクジェット記録方法を実現する。
請求項６に係る発明によれば、分子量が１０００以上の界面活性剤を適用した場合に比べ、吐出ヘッドの流路の目詰まりが抑制されたインクジェット記録方法を実現する。
請求項７に係る発明によれば、顔料分散剤を利用した場合に比べ、吐出ヘッドの流路の目詰まりが抑制されたインクジェット記録方法を実現する。
請求項８に係る発明によれば、インクを循環させて吐出ヘッド内部にインクの供給を行わない場合に比べ、吐出ヘッドの流路の目詰まりが抑制されたインクジェット記録方法を実現する。
請求項９に係る発明によれば、上記組成でないインクに比べ、吐出ヘッドの流路の目詰まりが抑制されたインクジェット記録装置用インクとなる。
【図面の簡単な説明】
【００１６】
【図１】本実施形態に係るインクジェット記録装置を示す概略構成図である。
【図２】本実施形態に係るインクジェット記録装置における吐出ヘッド及び供給部５０を示す模式図である。
【図３】本実施形態に係るインクジェット記録装置における吐出ヘッドの吐出部の拡大断面図である。
【発明を実施するための形態】
【００１７】
[インク]
本実施形態に係るインクは、顔料と溶媒とを含むインクであって、ロスマイルス法を模した評価において３０秒後の気泡の高さが５ｍｍ以下であり、体積平均粒径２μｍ以上の粒子が３０００個／ｍｌ以下である。
【００１８】
顔料インクは、顔料を含んでおり、染料を含むインクよりも耐水性や耐光性に優れていることから実用化されているが、長期保存や高温での保存によって凝集し易い傾向にある。
また、例えば顔料の含有量を多くすると、顔料の沈降がより進み易い傾向にあり、吐出ヘッドの流路（インクが流れるインク流路）の目詰まりが発生し易くなる傾向にある。
つまり、顔料インクは、光学濃度と分散安定性とが相反する関係にあると言える。
【００１９】
さらに、インクの液滴を熱により吐出する吐出ヘッド（以下、「サーマル式の吐出ヘッド」と称する）の場合、圧電素子を利用してインクの液滴を吐出する吐出ヘッド（ピエゾ式の吐出ヘッド）に比べ、例えば発熱素子等の部材の小型化が進み、合わせて流路も細くなっていく傾向にある。そのため、サーマル式の吐出ヘッドを備えたインクジェット記録装置は、吐出されるインクジェット滴の体積が小さくなると共に得られる画像の解像度が高くなる一方で、吐出ヘッドの流路におけるインクの目詰まりが生じ易いと考えられる。
【００２０】
ここで、サーマル式の吐出ヘッドは熱によってインクを沸騰させることで気泡を発生させてノズルからインク滴を吐出する方式であるため、これを適用するインクは、ある程度の気泡の発生が要求されると考えられる。しかし、本実施形態に係るインクの構成を、懸濁気泡の発生が抑制された上記構成のものとすることにより、吐出ヘッドの流路における気泡の残留に起因する目詰まりが抑制される。
加えて、本実施形態に係るインクの構成を、体積平均粒径の大きな粗粒子との含有量が抑制されている上記構成のものとすることにより、吐出ヘッドの流路における粒子の残留に起因する目詰まりが抑制される。
【００２１】
以上より、本実施形態に係るインクは、吐出ヘッドの流路における目詰まりが抑制されることとなる。
【００２２】
なお、吐出ヘッドの流路における目詰まりが抑制される結果、本実施形態に係るインクは、得られる画像の画質劣化が抑制されると考えられる。
【００２３】
ここで、本実施形態において、体積平均粒径２μｍ以上の粒子とは、体積平均粒径２μｍ以上の顔料又は顔料が凝集した体積平均粒径２μｍ以上の凝集体を示す。
【００２４】
また、本実施形態においてロスマイルス法を模した評価とは、具体的には、室温（２５℃）の環境において、インクを１５ｇ入れた５０ｍｌガラススクリュー瓶を、水平面に対して垂直に、７００ｍｍの間隔で５往復振とう後、机上に３０秒間静置したときの気泡の高さを測定する評価を示す。
【００２５】
本実施形態に係るインクは、吐出ヘッドの流路における目詰まりを抑制する観点から、上記評価方法における気泡の高さが５ｍｍ以下であることが望ましく、３ｍｍ以下であることがより望ましい。
【００２６】
また、本実施形態に係るインクは、吐出ヘッドの流路における目詰まりを抑制する観点から、体積平均粒径２μｍ以上の粒子が３０００個／ｍｌ以下が望ましく、２０００個／ｍｌ以下がより望ましい。
【００２７】
体積平均粒径２μｍ以上の粒子の個数は、以下の方法で測定して求める。
アキュサイザー７８０ＡＰＳ（ピーエスエス製）を用い、下限粒径を２μｍに設定し、０．５ｍｌのインクを注入したのち、本装置にて自動希釈した状態で粒子をカウントし、インク１ｍｌあたりの粒径２μｍ以上の粒子総数は希釈倍率換算した値として得られる。
【００２８】
本実施形態に係るインクに含まれる成分について詳細に説明する。
本実施形態に係るインクは、例えば、顔料、溶媒、及び必要に応じてその他添加剤を含んで構成される。
【００２９】
顔料について説明する。
顔料としては、有機顔料、無機顔料が挙げられる。
【００３０】
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げられるが、これらに限定されるものではない。
【００３１】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
イエロー顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【００３２】
ここで、顔料を使用した場合には、併せて顔料分散剤を用いることが望ましい。使用してもよい顔料分散剤としては、高分子分散剤、アニオン性界面活性剤、カチオン性界面活性剤、両性界面活性剤、ノニオン性界面活性剤等が挙げられる。
【００３３】
高分子分散剤としては、親水性構造部と疎水性構造部とを有する重合体が好適に用いられる。親水性構造部と疎水性構造部とを有する重合体としては、縮合系重合体と付加重合体とが使用される。縮合系重合体としては、公知のポリエステル系分散剤が挙げられる。付加重合体としては、α，β−エチレン性不飽和基を有する単量体の付加重合体が挙げられる。親水基を有するα，β−エチレン性不飽和基を有する単量体と疎水性基を有するα，β−エチレン性不飽和基を有する単量体を組み合わせて共重合することにより目的の高分子分散剤が得られる。また、親水基を有するα，β−エチレン性不飽和基を有する単量体の単独重合体も用いてもよい。
【００３４】
親水基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００３５】
疎水性基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００３６】
高分子分散剤として望ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有する単量体を共重合させてもよい。
【００３７】
高分子分散剤の重量平均分子量としては、例えば、２０００以上５００００以下がよい。
【００３８】
これら高分子分散剤は、単独で用いても、二種類以上を併用しても構わない。高分子分散剤の含有量は、顔料により大きく異なるため一概には言えないが、顔料に対し、０．１質量％以上１００質量％以下であることがよい。
【００３９】
顔料としては、自己分散型顔料（水に自己分散する顔料）も挙げられる。
自己分散型顔料とは、顔料表面に水に対する可溶化基を有し、高分子分散剤が存在しなくとも水中で分散する顔料のことを指す。自己分散型顔料は、例えば、顔料に対して酸・塩基処理、カップリング剤処理、ポリマーグラフト処理、プラズマ処理、酸化／還元処理等の表面改質処理を施すことにより得られる。
【００４０】
自己分散型顔料としては、上記顔料に対して表面改質処理を施した顔料の他、キャボット社製のＣａｂ−ｏ−ｊｅｔ−２００、Ｃａｂ−ｏ−ｊｅｔ−３００、Ｃａｂ−ｏ−ｊｅｔ−４００、Ｃａｂ−ｏ−ｊｅｔ−  ２５０Ｃ、Ｃａｂ−ｏ−ｊｅｔ−  ２６０Ｍ、Ｃａｂ−ｏ−ｊｅｔ−  ２７０Ｙ、Ｃａｂ−ｏ−ｊｅｔ−  ４５０Ｃ、Ｃａｂ−ｏ−ｊｅｔ−  ４６５Ｍ、Ｃａｂ−ｏ−ｊｅｔ−  ４７０Ｙ、ＩＪＸ−１５７、ＩＪＸ−２５３、ＩＪＸ−２６６、ＩＪＸ−２７３、ＩＪＸ−４４４、ＩＪＸ−５５、Ｃａｂｏｔ２６０、オリエント化学社製のＭｉｃｒｏｊｅｔ  Ｂｌａｃｋ  ＣＷ−１、ＣＷ−２等の市販の自己分散顔料等も挙げられる。
【００４１】
自己分散型顔料としては、その表面に官能基として少なくともスルホン酸、スルホン酸塩、カルボン酸、又はカルボン酸塩を有する顔料であることが望ましい。より望ましくは、表面に官能基として少なくともカルボン酸、又はカルボン酸塩を有する顔料である。
【００４２】
ここで、顔料としては、樹脂により被覆された顔料等も挙げられる。これは、マイクロカプセル顔料と呼ばれ、ＤＩＣ社製、東洋インキ社製などの市販のマイクロカプセル顔料がある。なお、市販のマイクロカプセル顔料に限られず、目的に応じて作製したマイクロカプセル顔料を使用してもよい。
また、顔料としては、高分子化合物を顔料に物理的に吸着又は化学的に結合させた樹脂分散型顔料も挙げられる。
また、顔料としては、黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等も挙げられる。
また、顔料としては、シリカ、アルミナ、又は、ポリマービード等をコアとして、その表面に染料又は顔料を固着させた粒子、染料の不溶レーキ化物、着色エマルション、着色ラテックス等も挙げられる。
【００４３】
顔料の体積平均粒径は、例えば１０ｎｍ以上１０００ｎｍ以下であることが挙げられる。
顔料の体積平均粒径とは、顔料そのものの粒径、又は顔料に分散剤等の添加物が付着している場合には、添加物が付着した粒径をいう。体積平均粒径の測定装置には、マイクロトラックＵＰＡ粒度分析計  ９３４０  （Ｌｅｅｄｓ＆Ｎｏｒｔｈｒｕｐ社製）により行う。その測定は、インク４ｍｌを測定セルに入れて行った。なお、測定時の入力値として、粘度にはインクの粘度を、分散粒子の密度は顔料の密度とした。
【００４４】
顔料の濃度は、例えば、インクに対して４質量％以上１２質量％以下が好ましく、４質量％以上１０質量％以下がより好ましい。
【００４５】
溶媒としては、例えば、水、水溶性有機溶媒が挙げられる。
【００４６】
水について説明する。
水としては、特に不純物の混入、又は微生物の発生を防止するという観点から、イオン交換水、超純水、蒸留水、限外濾過水が好適に挙げられる。
【００４７】
水の含有量は、例えば、インクに対して１０質量％以上９５質量％以下が好ましく、３０質量％以上９０質量％以下がより好ましい。
【００４８】
水溶性有機溶媒について説明する。
水溶性有機溶媒としては、多価アルコール類、多価アルコール類誘導体、含窒素溶媒、アルコール類、含硫黄溶媒等が挙げられる。水溶性有機溶媒としては、その他、炭酸プロピレン、炭酸エチレン等も挙げられる。
【００４９】
多価アルコール類としては、エチレングリコール、ジエチレングリコール、プロピレングリコール、ブチレングリコール、トリエチレングリコール、１，５−ペンタンジオール、１，２−へキサンジオール、１，２，６−ヘキサントリオール、グリセリン、トリメチロールプロパン、キシリトールなどの糖アルコール類；キシロース、グルコース、ガラクトースなどの糖類；等が挙げられる。
【００５０】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【００５１】
含窒素溶媒としては、ピロリドン、Ｎ−メチル−２−ピロリドン、シクロヘキシルピロリドン、トリエタノールアミン等が挙げられる。
アルコール類としてはエタノール、イソプロピルアルコール、ブチルアルコール、ベンジルアルコール等が挙げられる。
含硫黄溶媒としては、チオジエタノール、チオジグリセロール、スルフォラン、ジメチルスルホキシド等が挙げられる。
【００５２】
水溶性有機溶媒は、１種類で使用しても２種類以上を併用してもよい。
【００５３】
水溶性有機溶媒の含有量は、水に対して１質量％以上６０質量％以下が好ましく、１質量％以上４０質量％以下がより好ましい。
【００５４】
添加剤について説明する。
本実施形態に係るインクには、添加剤として例えば、記録媒体（例えば、用紙）に対する浸透速度等を調整する目的で、浸透剤を含ませてもよい。
浸透剤としては、分子量２５０以下の浸透剤がよい。
本実施形態に係るインクは、上記のような分子量の小さい浸透剤を含むことにより、懸濁気泡の発生が抑制され、ロスマイルス法を模した評価において３０秒後の気泡の高さを５ｍｍ以下とすることが実現され易くなり、吐出ヘッドの流路の目詰まりが抑制され易くなると考えられる。また、記録媒体への浸透が促進されつつ、インクの分散安定性が向上されることとなると考えられる。
【００５５】
分子量１５０以下の浸透剤として具体的には、例えば、分子量２５０以下の溶媒系浸透剤が挙げられ、溶媒系浸透剤の中でも、グリコールエーテル類等（例えば、アルキレングリコールモノアルキルエーテル等）がよい。
【００５６】
分子量１５０以下のアルキレングリコールモノアルキルエーテルとして具体的には、例えば、ジエチレングリコールモノブチルエーテル（ブチルカルビトール、ＢＣＢＴ）、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等が挙げられる。
【００５７】
分子量２５０以下の浸透剤は、これらの中でも、ジエチレングリコールモノブチルエーテル（ブチルカルビトール）、トリエチレングリコールモノブチルエーテル、    プロピレングリコールモノメチルエーテルが望ましく、ブチルカルビトールがより望ましい。
【００５８】
分子量２５０以下の浸透剤の含有量は、例えば１質量％以上１５質量％以下の範囲がよく、２質量％以上１０質量％以下の範囲が望ましい。
【００５９】
本実施形態に係るインクの好適な物性について説明する。
まず、インクのｐＨは、望ましくは４以上１０以下の範囲、より望ましくは５以上９以下の範囲が挙げられる。
ここで、インクのｐＨは、温度２３±０．５℃、湿度５５±５％Ｒ．Ｈ．環境下において、ｐＨ／導電率計（メトラー・トレド社製ＭＰＣ２２７）により測定した値を採用する。
【００６０】
インクの表面張力は、例えば２０ｍＮ／ｍ以上５０ｍＮ／ｍ以下の範囲（望ましくは２５ｍＮ／ｍ以上４５ｍＮ／ｍ以下の範囲）が挙げられる。
ここで、表面張力としては、ウイルヘルミー型表面張力計（協和界面科学株式会社製）を用い、２３℃、５５％ＲＨの環境において測定した値を採用する。
【００６１】
インクの導電率は、例えば０．０１Ｓ／ｍ以上０．５Ｓ／ｍ以下の範囲（望ましくは０．０１Ｓ／ｍ以上０．２５Ｓ／ｍ以下の範囲、より望ましくは０．０１Ｓ／ｍ以上０．２０Ｓ／ｍ以下の範囲）が挙げられる。
導電率の測定は、ＭＰＣ２２７（ｐＨ／Ｃｏｎｄｕｃｔｉｖｉｔｙ  Ｍｅｔｅｒ、メトラー・トレンド社製）で行う。
【００６２】
インクの粘度は、例えば１．５ｍＰａ・ｓ以上３０ｍＰａ・ｓ以下の範囲（望ましくは１．５ｍＰａ・ｓ以上２０ｍＰａ・ｓ以下の範囲）が挙げられる。
粘度は、ＴＶ−２０（東機産業製）を測定装置として用い、測定温度は２３℃、せん断速度は１４００ｓ−１の条件で測定する。
【００６３】
[インクジェット記録装置／インクジェット記録方法]
以下、本実施形態に係るインクジェット記録装置について、図面を参照しつつ詳細に説明するが、これに限定されるわけではない。なお、図に示す主用部を説明し、その他はその説明を省略する。
図１は、本実施形態に係るインクジェット記録装置を示す概略構成図である。図２は、本実施形態に係るインクジェット記録装置における吐出ヘッド周辺を示す概略断面図である。図３は、本実施形態に係るインクジェット記録装置における吐出ヘッドの拡大断面図である。
【００６４】
本実施形態に係るインクジェット記録装置１２は、例えば、図１に示すように、筐体１４内の下部に、給紙容器１６が備えられており、給紙容器１６内に積層された用紙Ｐ（記録媒体の一例）を取り出しロール１８で１枚ずつ取り出す機構を有している。取り出された用紙Ｐは、搬送経路２２を構成する複数の搬送ローラ対２０で搬送される。
【００６５】
給紙容器１６の上方には、駆動ロール２４及び従動ロール２６に張力を付与されつつ支持された無端状の搬送ベルト２８が配置されている。搬送ベルト２８の上方には記録ヘッド３０（吐出装置の一例）が配置されており、搬送ベルト２８における平坦部分に対向している。この記録ヘッド３０が搬送ベルト２８の平坦部分に対向した領域が、記録ヘッド３０から用紙Ｐにインクの液滴が吐出される吐出領域となっている。搬送ローラ対２０で搬送された用紙Ｐは、搬送ベルト２８で保持されてこの吐出領域に至り、記録ヘッド３０に対向した状態となり、記録ヘッド３０から画像情報に応じて吐出されたインクの液滴が用紙Ｐの表面に付着する。
【００６６】
記録ヘッド３０は、インクジェット方式によってインク滴を複数のノズルから吐出する記録ヘッドであり、インクジェット方式の中でも、サーマル式により駆動されてインクの液滴を吐出するサーマル式の記録ヘッドである。
また記録ヘッド３０としては、例えば、有効な記録領域（インクを吐出するノズルの配置領域）が用紙Ｐの幅（搬送方向と交差（例えば直交）する方向の長さ）以上とされた長尺状の記録ヘッドが挙げられる。
また記録ヘッド３０としては、目的に応じて、例えば、イエロー（Ｙ）、マゼンタ（Ｍ）、シアン（Ｃ）、及びブラック（Ｋ）の４色それぞれに対応した４つの記録ヘッドが搬送方向に沿ってアレイ状に配置されている形態、ブラック（Ｋ）に対応した一つの記録ヘッド３０を配置した形態、他の中間色を加えた４色以上のそれぞれに対応した４つ以上の記録ヘッド３０を配置した形態等が挙げられる。
【００６７】
記録ヘッド３０の上流側（用紙Ｐの搬送方向上流側）には、帯電ロール３２が配置されている。帯電ロール３２は、従動ロール２６との間で搬送ベルト２８及び用紙Ｐを挟みつつ従動し、接地された従動ロール２６との間に電位差を生じさせ、用紙Ｐに電荷を与えて搬送ベルト２８に静電吸着させる。
【００６８】
記録ヘッド３０の下流側（用紙Ｐの搬送方向下流側）には、剥離板３４が配置されており、用紙Ｐを搬送ベルト２８から剥離させる。剥離された用紙Ｐは、剥離板３４の下流側（用紙Ｐの搬送方向下流側）で排出経路３６を構成する複数の排出ローラ対３８で搬送され、筐体１４の上部に設けられた排紙容器４０に排出される。
なお、図１に示す記録装置１２は、記録ヘッド３０によってインクの液滴を用紙Ｐの表面に直接吐出する方式であるが、これに限られず、例えば中間転写体にインクの液滴を吐出した後に、中間転写体上のインクの液滴を用紙Ｐに転写する方式であってもよい。
【００６９】
本実施形態に係るインクジェット記録装置１２は、例えば図２に示すような、インクを循環させて記録ヘッド３０の内部にインクの供給を行う供給部５０を有している。
供給部５０は、図２に示すように、インクタンク３１と、インクタンク３１のインクを記録ヘッド３０へ供給する供給管３３Ａと、記録ヘッド３０からインクを排出する排出管３３Ｂと、を有している。インクタンク３１と記録ヘッド３０との一端同士は供給管３３Ａを介して連結されており、インクタンク３１と記録ヘッド３０との他端同士は、排出管３３Ｂを介して連結されている。そして、排出管３３Ｂの経路途中には、ポンプ３２が介在している。なお、ポンプ３２は、供給管３３Ａの経路途中に介在していてもよい。つまり、供給部５０は、インクタンク３１、供給管３３Ａ、排出管３３Ｂ、ポンプ３２により、循環路を形成している。供給部５０では、ポンプ３２の駆動力により、インクタンク３１から排出されたインクが、供給管３３Ａ内を流れて記録ヘッド３０の内部（共通インク室３０Ｂ）に供給され、記録ヘッド３０の内部（共通インク室３０Ｂ）を通って吐出ヘッド３０から排出されたインクは、排出管３３Ｂ内を流れてインクタンク３１に流入する。
このように、インクを循環させて吐出ヘッドの内部（共通インク室３０Ｂ）にインクの供給を行う。
【００７０】
また、インクタンク３１は、例えば図２に示すように、インクの排出側（インク流路方向の下流側）にフィルタ３３Ｃを設けてもよい。このようなフィルタ３３Ｃにより、インク中の凝集した顔料がフィルタ３３Ｃにより除去されることとなる。
なお、フィルタ３３Ｃは循環路のいずれに設けてもよい。
【００７１】
次に、記録ヘッド３０について説明する。
記録ヘッド３０は、例えば、有効な記録領域（インクを吐出するノズルの配置領域）が用紙Ｐの幅（搬送方向と交差（例えば直交）する方向の長さ）以上とされた長尺状の記録ヘッドである（不図示）。
【００７２】
記録ヘッド３０としては、例えば、イエロー（Ｙ）、マゼンタ（Ｍ）、シアン（Ｃ）、及びブラック（Ｋ）の４色それぞれに対応した４つの記録ヘッドが搬送方向に沿ってアレイ状に配置されている。無論、記録ヘッド３０は、上記４色のそれぞれに対応した４つの記録ヘッド３０を配置する形態に限られず、目的に応じて、ブラック（Ｋ）に対応した一つの記録ヘッド３０を配置した形態であってよいし、他の中間色を加えた４色以上のそれぞれに対応した４つ以上の記録ヘッド３０を配置した形態であってもよい。
【００７３】
記録ヘッド３０は、インクの液滴を熱により吐出する所謂サーマル方式の記録ヘッドである。
具体的には、記録ヘッド３０は、図２に示すように、例えば、ステンレスやニッケル合金などから構成される筒状体で構成されている。そして、記録ヘッド３０は、長手方向に配列された複数のノズル４４を有する吐出部３０Ａと、各吐出部３０Ａにインクを供給するための共通インク室３０Ｂと、を有している。
また、吐出部３０Ａと共通インク室３０Ｂとの間には、共通インク室３０Ｂから供給されるインク中の異物を除去するフィルタ３０Ｃが配置されている。
【００７４】
記録ヘッド３０の吐出部３０Ａは、具体的には、例えば図３に示すように、ノズル４４と、吐出部３０Ａの内部においてノズル４４に通じる圧力室４１と、共通インク室３０Ｂと圧力室４１とを連結するインク流路４３と、を有している。また、圧力室４１における、ノズル４４と対向する壁面側には、ヒータ４２が設けられている。
インクは、共通インク室３０Ｂからインク流路４３を通じて圧力室４１に供給された後、ヒータ４２により加熱されることにより、ノズル４４から吐出される。
【００７５】
本実施形態においては、顔料と溶媒とを含むインクであって、ロスマイルス法を模した評価において３０秒後の気泡の高さが５ｍｍ以下であり、体積平均粒径２μｍ以上の粒子が３０００個／ｍｌ以下であるインクの液滴を熱により吐出する吐出ヘッド３０によって、前記インクの液滴を吐出して記録を行う。
この記録方法により、インクジェット記録装置１２は、吐出ヘッド３０の流路（インク流路４３）の目詰まりが抑制されることとなる。
また、上記インクジェット記録装置１２による記録においては、インクを循環させて吐出ヘッドの内部にインクの供給を行うことにより、顔料の凝集が抑制され、吐出ヘッド３０の流路（インク流路４３）の目詰まりが抑制されると考えられる。
【００７６】
なお、上記インクジェット記録装置１２による記録においては、インクが、分子量２５０以下の浸透剤を含むことにより、懸濁気泡の発生が抑制され、ロスマイルス法を模した評価において３０秒後の気泡の高さを５ｍｍ以下とすることが実現し、吐出ヘッド３０の流路（インク流路４３）の目詰まりが抑制されると考えられる。
また、顔料が自己分散型顔料であり、自己分散型顔料の濃度がインク全量に対して４質量％以上１２質量％以下であることにより、顔料として自己分散型顔料を適用したインクは、顔料分散剤が不要となるため、熱に対して安定なインクとなって吐出ヘッド３０中でのコゲーションが抑制され、吐出ヘッド３０の流路（インク流路４３）の目詰まりが抑制されると考えられる。さらに、顔料の濃度を高くすることが実現されるため、画像濃度の向上も実現されると考えられる。
【実施例】
【００７７】
以下に、本発明を実施例により具体的に説明するが、本発明はこれらの実施例に何ら限定されるものではない。尚、以下において「部」および「％」は、特に断りのない限り質量基準である。
【００７８】
＜インクの作製＞
（インク１）
・ブチルカルビトール：５質量部
・グリセリン：１２質量部
・２-ピロリドン：３質量部
・Ｃａｂ−ｏ−ｊｅｔ−４００（自己分散型顔料、キャボット社製）：８質量部
・純水：７２質量部
上記組成を混合し、２μｍフィルターでろ過し、インク１を得た。
【００７９】
−インク１の特性−
既述の内容に従ってロスマイルス法を模した評価を行ったところ、気泡の高さは３ｍｍであった。
また、既述の方法に従って測定した結果、体積平均粒径が２μｍ以上である顔料は、２５００個／ｍｌであった。
【００８０】
（インク２）
・ブチルカルビトール：５質量部
・グリセリン：１２質量部
・２-ピロリドン：３質量部
・Ｃａｂ−ｏ−ｊｅｔ−４００（自己分散型顔料、キャボット社製）：８質量部
・純水：７２質量部
上記組成を混合し、３μｍフィルターでろ過し、インク２を得た。
【００８１】
−インク２の特性−
既述の内容に従ってロスマイルス法を模した評価を行ったところ、気泡の高さは３ｍｍであった。
また、既述の方法に従って測定した結果、体積平均粒径が２μｍ以上である顔料は、３０００個／ｍｌであった。
【００８２】
（インク３）
・トリエチレングリコールモノヘキシルエーテル：４質量部
・グリセリン：１２質量部
・２-ピロリドン：３質量部
・Ｃａｂ−ｏ−ｊｅｔ−４００（自己分散型顔料、キャボット社製）：８質量部
・純水：７３質量部
上記組成を混合し、２μｍフィルターでろ過し、インク３を得た。
【００８３】
−インク３の特性−
既述の内容に従ってロスマイルス法を模した評価を行ったところ、気泡の高さは５ｍｍであった。
また、既述の方法に従って測定した結果、体積平均粒径が２μｍ以上である顔料は、２５００個／ｍｌであった。
【００８４】
（インク４）
・トリエチレングリコールモノヘキシルエーテル：４質量部
・グリセリン：１２質量部
・２-ピロリドン：３質量部
・Ｃａｂ−ｏ−ｊｅｔ−４００（自己分散型顔料、キャボット社製）：８質量部
・純水：７３質量部
上記組成を混合し、３μｍフィルターでろ過し、インク４を得た。
【００８５】
−インク４の特性−
既述の内容に従ってロスマイルス法を模した評価を行ったところ、気泡の高さは５ｍｍであった。
また、既述の方法に従って測定した結果、体積平均粒径が２μｍ以上である顔料は、３０００個／ｍｌであった。
【００８６】
（比較用インク１）
・３，６，９，１２-テトラオキサオクタデカン-１-オール：４質量部
・グリセリン：１２質量部
・２-ピロリドン：３質量部
・Ｃａｂ−ｏ−ｊｅｔ−４００（自己分散型顔料、キャボット社製）：８質量部
・純水：７３質量部
上記組成を混合し、２μｍフィルターでろ過し、インク５を得た。
【００８７】
−比較用インク１の特性−
既述の内容に従ってロスマイルス法を模した評価を行ったところ、気泡の高さは６ｍｍであった。
また、既述の方法に従って測定した結果、体積平均粒径が２μｍ以上である顔料は、２５００個／ｍｌであった。
【００８８】
（比較用インク２）
・３，６，９，１２-テトラオキサオクタデカン-１-オール：４質量部
・グリセリン：１２質量部
・２-ピロリドン：３質量部
・Ｃａｂ−ｏ−ｊｅｔ−４００（自己分散型顔料、キャボット社製）：８質量部
・純水：７３質量部
上記組成を混合し、３μｍフィルターでろ過し、インク６を得た。
【００８９】
−比較用インク２の特性−
既述の内容に従ってロスマイルス法を模した評価を行ったところ、気泡の高さは６ｍｍであった。
また、既述の方法に従って測定した結果、体積平均粒径が２μｍ以上である顔料は、３０００個／ｍｌであった。
【００９０】
（比較用インク３）
・ラウリル硫酸ナトリウム：０．１質量部
・グリセリン：１２質量部
・２-ピロリドン：３質量部
・Ｃａｂ−ｏ−ｊｅｔ−４００（自己分散型顔料、キャボット社製）：８質量部
・純水：７６．９質量部
上記組成を混合し、２μｍフィルターでろ過し、比較用インク１を得た。
【００９１】
−比較用インク３の特性−
既述の内容に従ってロスマイルス法を模した評価を行ったところ、気泡の高さは５０ｍｍであった。
また、既述の方法に従って測定した結果、体積平均粒径が２μｍ以上である顔料は、２５００個／ｍｌであった。
【００９２】
（比較用インク４）
・ポリオキシエチレンソルビタン脂肪酸エステル：０．５質量部
・グリセリン：１２質量部
・２-ピロリドン：３質量部
・Ｃａｂ−ｏ−ｊｅｔ−４００（自己分散型顔料、キャボット社製）：８質量部
・純水：７６．５質量部
上記組成を混合し、２μｍフィルターでろ過し、比較用インク２を得た。
【００９３】
−比較用インク４の特性−
既述の内容に従ってロスマイルス法を模した評価を行ったところ、気泡の高さは１０ｍｍであった。
また、既述の方法に従って測定した結果、体積平均粒径が２μｍ以上である顔料は、２５００個／ｍｌであった。
【００９４】
（比較用インク５）
・ブチルカルビトール：５質量部
・グリセリン：１２質量部
・２-ピロリドン：３質量部
・Ｃａｂ−ｏ−ｊｅｔ−４００（自己分散型顔料、キャボット社製）：８質量部
・純水：７２質量部
上記組成を混合し、１０μｍフィルターでろ過し、比較用インク３を得た。
【００９５】
−比較用インク５の特性−
既述の内容に従ってロスマイルス法を模した評価を行ったところ、気泡の高さは３ｍｍであった。
また、既述の方法に従って測定した結果、体積平均粒径が２μｍ以上である顔料は、１００００個／ｍｌであった。
【００９６】
（比較用インク６）
・ブチルカルビトール：５質量部
・グリセリン：１２質量部
・２-ピロリドン：３質量部
・Ｃａｂ−ｏ−ｊｅｔ−４００（自己分散型顔料、キャボット社製）：８質量部
・純水：７２質量部
上記組成を混合し、４μｍフィルターでろ過し、比較用インク４を得た。
【００９７】
−比較用インク６の特性−
既述の内容に従ってロスマイルス法を模した評価を行ったところ、気泡の高さは３ｍｍであった。
また、既述の方法に従って測定した結果、体積平均粒径が２μｍ以上である顔料は、３５００個／ｍｌであった。
【００９８】
（比較用インク７）
・ラウリル硫酸ナトリウム：０．１質量部
・グリセリン：１２質量部
・２-ピロリドン：３質量部
・Ｃａｂ−ｏ−ｊｅｔ−４００（自己分散型顔料、キャボット社製）：８質量部
・純水：７６．９質量部
上記組成を混合し、１０μｍフィルターでろ過し、比較用インク５を得た。
【００９９】
−比較用インク７の特性−
既述の内容に従ってロスマイルス法を模した評価を行ったところ、気泡の高さは５０ｍｍであった。
また、既述の方法に従って測定した結果、体積平均粒径が２μｍ以上である顔料は、１００００個／ｍｌであった。
【０１００】
＜インクジェット記録装置の準備＞
有効な記録領域が用紙の幅以上とした長尺状で、サーマル方式の記録ヘッド（吐出量１．５ｎｇ）を備えるインクジェット記録装置を準備した。インク流路の内径は５μｍ、ノズルの内径は１０μｍとした。
この記録ヘッドのインク供給は、記録ヘッド内部（共通インク室）−供給部間を循環して行われる循環方式を採用した。
【０１０１】
[実施例１]
得られたインク１を、上記インクジェット記録装置に用いて画像記録を行い、以下の項目について評価した。
【０１０２】
（評価）
−ノズル目詰まり−
ノズル目詰まりの評価は、インク１を適用したインクジェット記録装置１を用いて、２５℃４０％ＲＨの環境下で画像記録を１０００枚連続して行い、目詰まりしたノズル数を測定した。評価基準は以下のようにした。
Ａ：１０個未満
Ｂ：１０個以上５０個未満
Ｃ：５０個以上１００個
Ｄ：１００個以上
【０１０３】
−吐出の安定性−
吐出の安定性を、以下のようにして評価した。
ドット位置を測定し、理想の位置からのずれ量を標準偏差σ（μｍ）で評価する。
評価基準は以下のようにした。
Ａ：２μｍ未満
Ｂ：２μｍ以上４μｍ未満
Ｃ：４μｍ以上６μｍ未満
Ｄ：６μｍ以上
【０１０４】
[実施例２〜４、比較例１〜７]
表１に従って、インク及びインクジェット記録装置を適用し、実施例１と同様の評価を行った。結果を表１に示す。
【０１０５】
【表１】
2015000891.tif 000002
【０１０６】
上記の結果より、本実施例の場合、比較用の場合に比べ、吐出ヘッドの流路の目詰まりが抑制されていることが明らかである。
【符号の説明】
【０１０７】
１２  インクジェット記録装置
１４  筐体
１６  給紙容器
１８  取り出しロール
２０  搬送ローラ対
２４  駆動ロール
２６  従動ロール
２８  搬送ベルト
３０  記録ヘッド（吐出ヘッド）
３０Ａ  吐出部
３０Ｂ  共通インク室
３０Ｃ  フィルタ
３２  帯電ロール
３３  配管
３３Ｃ  フィルタ
３４  剥離板
３６  排出経路
３８  排出ローラ対
４０  排紙容器
４１  圧力室
４２  ヒータ
４３  インク流路
４４  ノズル
５０  供給部
Ｐ  用紙
【図１】
2015000891.tif 000003
【図３】
2015000891.tif 000004
【図２】
2015000891.tif 000005